(57)【要約】      （修正有）【課題】部分的に光を透過する機能を有する機能を有し、大きなサイズや複雑な形状の透明な資材に対し、ハーフミラーを形成する銀鏡塗装形成品を提供する。【解決手段】アクリル等の透明基材表面に、銀鏡塗装により銀薄膜積層体を形成した金属調装飾を形成し、該銀薄膜の厚さを制御して部分的な光の透過性を有し、且つ金属調の装飾性を兼ねて有する銀薄膜積層体を形成する。【選択図】図１
0003162229.tif 000002
【実用新案登録請求の範囲】
【請求項１】
透明基材表面に銀鏡塗装により銀薄膜積層体を形成した金属調装飾を有する資材において，該銀薄膜の厚さを制御して部分的な光の透過性を有し，且つ金属調の装飾性を兼ねて有する銀薄膜積層体を形成したことを特徴とする銀鏡塗装形成品．
【請求項２】
部分的な光透過性を付与した透明基材として，アクリルもしくはポリカーボネートもしくはポリエチレンフタレートおよびその混合基材もしくはガラスを用いた，請求項１記載の銀鏡塗装形成品．
【考案の詳細な説明】
【技術分野】
【０００１】  本考案は、銀鏡塗装により銀薄膜含む銀薄膜積層体を形成した部分的に光透過性を有する製品に係るものであって，該銀鏡塗装により形成される銀薄膜の厚さや密度を制御して形成することによって，部分的な光の透過性を付与した銀鏡塗装形成品に係るものである．
【背景技術】
【０００２】  様々な商品において金属調の表面装飾がたくさん使われている．これらは，金属調の色調や見栄えなどの装飾により高級感や高機能感，導電性などの様々な機能などを付与された商品としての特性をもつ．多くの金属調装飾，例えばメッキ等は商品特性の向上に効果的であり，装飾の主要な技術として広い範囲に使われている．【０００３】  近年の商品開発においてとてもき多くの様々な商品類が開発されるが，その多くは短い期間において消えていくのが現状である．それぞれの商品類において，他社との差別化をはかるため，さまざまな装飾機能が求められている．金属調の装飾はこれらの商品類を目立たせるための代表的な装飾機能として大きな地位を占めるものであることがよく知られている．【０００４】  金属調の装飾に加えて，さらに注目を集めるために発光等の装飾性を付加したものが活用されている．透明な資材に部分的な光透過性を示す薄膜を形成し，発光機能からの光を制御して優れた装飾性を発現するのである．いわゆるハーフミラー機能である．例えば，携帯電話などのディスプレイなど，遊戯台の装飾機能などにも活用されている．【０００５】  金属調を示す薄膜として，各種金属を蒸着などの技術を活用して付加するのであるが，蒸着等では大きな部品に効率的に部分的に光を透過する薄膜，いわゆるハーフミラーを形成する事が難しく，コスト高になっていた．また，複雑な形状を持つ資材では，現実的な製品として，いわゆるハーフミラーを製造する事が難しい現状であった．
【考案の開示】
【考案が解決しようとする課題】
【０００６】  遊戯台や店舗やイベントなどの装飾機能として，いわゆるハーフミラーとＬＥＤなどの発光材料を組み合わせた装飾が活用されている．これらのいわゆるハーフミラー機能を実現するためには，金属等の極めて薄い薄膜を形成する必要がある．【０００７】  極めて薄い金属薄膜を形成する表面装飾について，よく知られた技術としてメッキ技術がある．これらは，金属調の色調や見栄えなどの装飾により高級感や高機能感，導電性などの様々な機能などを付与することができる特性をもち，商品の高機能化を可能とする．該メッキ技術は商品特性の向上に多く用いられており，主要な技術として広範囲に用いられている．しかしながら，メッキによりハーフミラーを安定して形成することは，なかなか難しい現状がある．さらに，メッキにより薄膜を形成するにはメッキ槽に入る大きさである必要があり，大きな資材に適用するには現実的ではない．また，環境負荷の観点から制限される可能性が考えられる．【０００８】  例えば遊戯台のような多くの商品類に金属調装飾機能が付与され，多くの商品類として販売されている．さらに，いわゆるハーフミラーにより光を活用した装飾類が活用され，消費者の注目を集める機能を実現している．しかしながら，蒸着などの金属薄膜を形成する技術を活用して，大きなサイズの材料や複雑な形状の資材に対してハーフミラーを形成する事は難しい現状がある．蒸着では，真空系を用いるため資材の大きさに現実的な制限がある．また，資材の大きさによっては，コスト的にも現実的ではない．【０００９】  本考案は，以上の状況に鑑みて考案されたものであり，きわめて多数の類似商品類が販売される近年の市場において，他社類似商品に対して差別化を可能とする優れた機能もしくは装飾性を付与する技術を提供するものである．メッキや蒸着などの従来の金属薄膜形成技術ではなく，銀鏡塗装によりいわゆるハーフミラーを形成する事により，環境に優しく，かつ現実的なコストで，大きな資材や複雑な形状の資材に対していわゆるハーフミラーを形成した製品を提供する．
【課題を解決するための手段】
【００１０】  本考案は，以上の目的を達成するために，様々な基材表面部に光を部分的に透過する金属調薄膜を簡便に且つ容易に形成したいわゆるハーフミラーを形成した資材を提供する．本考案による資材では，銀鏡塗装により部分的に光を透過させる機能を有する銀薄膜を環境に優しい技術で形成することが可能である．また，基材として複雑な形状を有するものや，極めて大きなサイズのものなどに対して部分的に光を透過させる銀鏡薄膜すなわちいわゆるハーフミラーを有する資材を提供するものである．本考案は，該光を部分的に透過する機能，すなわちハーフミラーを銀鏡塗装で提供するにより前記の課題を解決するものである．【００１１】  請求項１に記載される考案は，透明基材表面に銀鏡塗装により銀薄膜積層体を形成した金属調装飾を有する資材において，該銀薄膜の厚さを制御して部分的な光の透過性を有し，且つ金属調の装飾性を兼ねて有する銀薄膜積層体を形成したものを提供するものであり，前記の課題を解決するものである．【００１２】  請求項２に記載される考案は，部分的な光透過性を付与した透明基材として，アクリルもしくはポリカーボネートもしくはポリエチレンフタレートおよびその混合基材もしくはガラスを用いた，請求項１記載の銀鏡塗装形成品を提供するものであり，前記の課題を解決するものである．【００１３】  本考案により，透明基材表面に銀鏡塗装により銀薄膜積層体を形成した金属調装飾を有する資材において，該銀薄膜積層体の銀薄膜の厚さを制御して部分的な光の透過性を有し，且つ金属調の装飾性を兼ねて有する銀薄膜積層体を形成することを可能とし，いわゆるハーフミラー機能を有する複雑な立体形状を有する資材や大きなサイズの資材を提供可能とするものである．
【考案の効果】
【００１４】  本考案により，アクリルもしくはポリカーボネートもしくはポリエチレンフタレートおよびその混合基材もしくはガラスなどの様々な透明基材表面に銀鏡塗装により銀薄膜積層体を形成した金属調装飾を有し，且つ部分的な光の透過性を有する，いわゆるハーフミラー機能を兼ねて有する銀薄膜積層体を形成することを可能となる．いわゆるハーフミラー機能を有する複雑な立体形状を有する資材や大きなサイズの資材が提供可能となるものであり，ハーフミラー機能を活用する様々な資材を比較的安価な価格で，安定に，且つ簡便に，環境に優しく提供する事が可能となる．すなわち，金属調の装飾機能を発揮して高級感と高機能感を有する装飾薄膜であり，且ついわゆるハーフミラー機能をあわせて有する銀薄膜積層体を形成する事が可能であり，他社類似商品に対して差別化を可能として商品特性の向上を可能とする効果を得ることができる．
【考案を実施するための最良の形態】
【実施例１】
【００１５】  以下，添付の図面を参照して，この考案の最良の実施の形態を詳細に説明する．図１は本考案の一実施形態に係わる光を部分的に透過する機能を有する銀薄膜積層体を銀鏡塗装として構築した一例を示すものであり，本考案の銀鏡塗装形成品の層構成を示す説明図である．
本考案による銀鏡塗装形成品は，銀薄膜積層体１００を基材１１０の表面に形成した構造を持つ．銀薄膜積層体１００は部分的に光を透過する機能を有する層１２０と部分的に光を透過する機能を有する層１２０を保護する層１３０により構成される．本構成は本考案によるいわゆるハーフミラー機能を有する銀鏡塗装のみを示しているが，これらに加えてさらに装飾性を付与する層を組み合わせても差し支えない．銀薄膜積層体１００は，部分的に光を透過する機能を有する層１２０および該層を保護する機能を有する層１３０の構成のみを示したものである．【００１６】  本実施の例として，大きなサイズの資材２１０の一例を図２に示す．図２に示したものは，部分的に光を透過する機能を有し，且つ金属調の装飾を有する資材の一例であり，大きさ約２０ｃｍである．大きなサイズの資材２１０は，メッキ等によりいわゆるハーフミラー機能を形成するには生産性に不利である．また，蒸着等で形成するには，同様に形状が複雑であり且つサイズ的に不利である．このような大きなサイズの資材２１０は，銀鏡塗装により効率的に対応することが可能である．
図２に示した大きなサイズの資材２１０のａｂ部分の断面は図１に示したように部分的に光を透過する機能を有する層１２０と該層を保護するための層１３０を組み合わせた構成となっている．
【実施例２】
【００１７】  図３に本考案による部分的に光を透過する機能を有する銀薄膜積層体１００を立体物の表面に形成した一例を示し，本考案の最良の実施形態の一例として例示する．図３には，部分的に光を透過する機能を有する銀薄膜積層体１００を遊戯台の資材に適用した例を一例として示す．
図３に示した資材では，図１に例示として示す資材の内側に，光を発する資材として例えば発光ダイオードや蛍光灯などを組込んでおき，部分的に光を透過する機能を有する銀薄膜積層体１００を通して光を透過させる事により光を活用する．そして，光の発生していない状況では部分的に光を透過する機能を有する銀薄膜積層体１００の表面から観察されることにより金属調の装飾として優れた装飾機能を提供するものである．【００１８】  本考案による最良の実施形態を例示したが，本考案の基本的な機能は部分的に光を透過する機能を有する銀薄膜積層体１００を構成した資材と，光を発生させる資材を組み合わせ，金属調の装飾による機能といわゆるハーフミラーによる光を制御して優れた装飾性を複合的な機能として構築するものである．本考案では，光を発生させる機能等によりなんらの制限されるものではない．例えば発光ダイオードを利用した基材や，ＥＬ等を利用した基材などのあらゆるものを利用することが可能である．【００１９】  本考案には，部分的に光を透過する機能を有する材料として銀鏡塗装を用いる事を特徴とするものであり，その形成方法や条件などにより制限されるものではない．また，極めて微細なパターン等を形成した銀鏡塗装を活用して部分的な光を透過する機能を実現することも可能である．本考案は，銀鏡塗装によるいわゆるハーフミラーを活用するものであり，付加的に活用される材料等および形成技術や印刷等の技術により制限されるものではない．
【産業上の利用の可能性】
【００２０】  本考案は，金属調の装飾と光を活用する装飾を合わせ持つ，複合的なすぐれた装飾を実現するものであり，基材の大きさや形状などの制限の無い，またコスト的に優れた銀鏡塗装を活用する発生させる装飾を提供するものである．光を活用した認識性を向上させる機能と，金属調やその他の表面装飾を施すことによる高級感や高機能感等の装飾性を複合的に構成して複合的に機能を発揮させるものであり，多くの商品類における他社類似商品に対する優位性や差別化を可能とするものである．本考案は，きわめて広い産業分野における商品類に広く利用することが可能であり，産業的に広く利用されるものである．
【図面の簡単な説明】
【００２１】
【図１】本考案の一実施形態に係わる光を部分的に透過する機能を有する層と該層を保護する層を積層させた部分的に光を透過する銀薄膜積層体を説明する説明図である．
【図２】本考案の一実施形態に係わる部分的に光を透過する銀薄膜積層体を形成した一実施例を示す説明図である．
【図３】本考案の別の一実施形態に係わる部分的に光を透過する銀薄膜積層体を形成した一実施例を示す説明図である．
【符号の説明】
【００２２】１００  部分的に光を透過させる銀薄膜積層体
１１０  基材
１２０  光を部分的に透過する機能を有する層
１３０  光を部分的に透過する機能を有する層を保護する層
２００  光を部分的に透過する機能を有する銀薄膜積層体１００を形成した一実施例
２１０  光を部分的に透過する機能を有する銀薄膜積層体１００を形成した一実施例
３００  光を部分的に透過する機能を有する銀薄膜積層体１００を形成した一実施例
３１０  光を部分的に透過する機能を有する銀薄膜積層体１００を形成した一実施例
【図１】
0003162229.tif 000003
【図２】
0003162229.tif 000004
【図３】
0003162229.tif 000005